(57)【要約】      （修正有）【課題】本考案は除湿装置の独立風道構造を提供する。【解決手段】本考案による除湿装置の独立風道構造は、少なくとも一つの入気口１を備える。また、入気口１は、第一入気通路１１及び第二入気通路１２及び第三入気通路１３を有し、各入気通路には、それぞれ、冷熱交換器３、蒸発器２、放熱器６が設けられ、冷熱交換器３は第二入気通路１２に相互に連通する。また、放熱器６と冷熱交換器３の間にはファンセット７が設けられ、ファンセット７の一側には少なくとも一つの排気口８が設けられる。高湿度空気が第二入気通路１２及び第一入気通路１１に進入すると、蒸発器２によって一部の水分が凝結し、もとの空気の温度が下がり、さらに冷熱交換器３外側に進入し、第一入気通路１１から進入した空気は冷熱交換器３内側を通過する。【選択図】図１
0003209152.tif 000002
【実用新案登録請求の範囲】
【請求項１】
除湿装置の独立風道構造であって、
前記除湿装置は、少なくとも一つの入気口と、蒸発器と、冷熱交換器と、放熱器と、ファンセットと、少なくとも一つの排気口とからなり、
前記入気口は、第一入気通路と、前記第一入気通路の一側に設けられた第二入気通路及び前記第一入気通路の他側に設けられた第三入気通路とからなり、
前記蒸発器は、前記第三入気通路に設けられ、
前記冷熱交換器は、前記蒸発器の一側に設けられるとともに、前記第一入気通路及び前記第二入気通路に相互に連通し
前記放熱器は、前記第三入気通路に設けられ、
前記ファンセットは、前記放熱器の一側に設けられ、前記ファンセットの一側は、前記第一入気通路及び前記第二入気通路に相互に連通するとともに、その他側は、前記第三入気通路に相互に連通し、
前記排気口は、前記ファンセット一側に設けられることを特徴とする、除湿装置の独立風道構造。
【請求項２】
前記冷熱交換器は、前記第一入気通路に相互に連通する内側面と、前記第二入気通路に相互に連通する外側面とからなることを特徴とする、請求項１に記載の除湿装置の独立風道構造。
【請求項３】
前記蒸発器及び前記冷熱交換器の底部箇所には水収集部材が設けられることを特徴とする、請求項１に記載の除湿装置の独立風道構造。
【請求項４】
前記水収集部材の一側には圧縮装置が設けられることを特徴とする、請求項３に記載の除湿装置の独立風道構造。
【請求項５】
前記除湿装置の独立風道構造はさらに節流弁を備え、前記放熱器及び前記節流弁及び前記蒸発器及び前記圧縮装置は相互に連通して冷却循環システムを形成することを特徴とする、請求項４に記載の除湿装置の独立風道構造。
【請求項６】
前記入気口箇所には、濾過ネットが設けられることを特徴とする、請求項１に記載の除湿装置の独立風道構造。
【請求項７】
前記入気口が二個の時、その内の一つの入気口は、蒸発器の一側に位置するとともに、前記第一入気通路及び前記第二入気通路に連通し、もう一つの入気口は、放熱器の一側に位置し、前記第三入気通路と連通することを特徴とする、請求項１に記載の除湿装置の独立風道構造。
【請求項８】
前記第一入気通路の出口箇所は、斜断面を形成することを特徴とする、請求項１に記載の除湿装置の独立風道構造。
【請求項９】
除湿装置の独立風道構造であって、
前記除湿装置は、第一入気口と、第二入気口と、第三入気口と、蒸発器と、冷熱交換器と、放熱器と、ファンセットと、少なくとも一つの排気口と、からなり、
前記第一入気口は第一入気通路を有し、
前記第二入気口は、前記第一入気通路の一側に設けられた第二入気通路を有し、
前記第三入気口は、前記第一入気通路の他側に設けられた第三入気通路を有し、
前記蒸発器は、前記第二入気通路に設けられ、
前記冷熱交換器は、前記蒸発器の一側に設けられるとともに、前記第一入気通路及び前記第二入気通路に相互に連通し、
前記放熱器は前記第三入気通路に設けられ、
前記ファンセットは、前記冷熱交換器及び前記放熱器の間に設けられるとともに、前記ファンセットの一側は、前記第一入気通路及び前記第二入気通路に相互に連通し、その他側は前記第三入気通路に相互に連通し、
前記排気口は、前記ファンセットの一側に設けられることを特徴とする、除湿装置の独立風道構造。
【請求項１０】
前記冷熱交換器は、前記第一入気通路に相互に連通する内側面と、前記第二入気通路に相互に連通する外側面を有することを特徴とする、請求項９に記載の除湿装置の独立風道構造。
【請求項１１】
前記蒸発器及び前記冷熱交換器の底部箇所には水収集部材が設けられることを特徴とする、請求項９に記載の除湿装置の独立風道構造。
【請求項１２】
前記水収集部材の一側には圧縮装置が設けられることを特徴とする、請求項１１に記載の除湿装置の独立風道構造。
【請求項１３】
前記第二入気口は、前記蒸発器の一側に位置し、前記第一入気口は、前記蒸発器の一側或は前記放熱器の一側に位置し、前記第三入気口は前記放熱器の一側に位置することを特徴とする、請求項９に記載の除湿装置の独立風道構造。
【請求項１４】
前記除湿装置の独立風道構造は節流弁を有し、前記放熱器及び前記節流弁及び前記蒸発器及び前記圧縮装置は相互に連通して冷却循環システムを形成することを特徴とする、請求項９に記載の除湿装置の独立風道構造。
【請求項１５】
前記第一入気口、或は、前記第二入気口、或は、前記第三入気口箇所には、濾過ネットが設けられることを特徴とする、請求項９に記載の除湿装置の独立風道構造。
【請求項１６】
前記第一入気通路の出口箇所は斜断面を形成することを特徴とする、請求項９に記載の除湿装置の独立風道構造。
【考案の詳細な説明】
【技術分野】
【０００１】
本考案は除湿装置の除湿装置の独立風道構造に関し、特に、冷熱交換器の内外風道を利用し、標準除湿工程を一度と凝結除湿工程を一度行い、さらに単独の放熱器風道を利用して放熱器の放熱効果を高めることにより、蒸発器が同一の風道を共用することで除湿量が下降する問題並びに風量を増やすことができないことを避けられる除湿装置の独立風道構造に関する。
【背景技術】
【０００２】
従来の除湿器の構造は、外部にケースが設けられ、内部には、蒸発器及び凝結器及びモーター及びファン及び圧縮機及び入気口及び排気口及び水タンクからなる除湿システムが設けられる。従来の除湿器を作動させると、空気が入気口から進入し、蒸発器を通過して除湿され温度が下げられた後、再び放熱器で加熱され、その後、モーターによって駆動されたファンが回転し、排気口から乾燥した温風が排出される。また、水タンクは、蒸発器の作動で生じた水滴を収集するのに用いられる。また、低い温度で作動する時、氷霜除去或は氷霜解凍メカニズムの設計により、低温状態を解くことで、蒸発器に霜が積もる。
【０００３】
上述の従来の技術の圧縮機式の除湿装置は、その除湿能力が装置自体の冷却能力を制限してしまい、最大の冷却能力を発揮させると、凝結器と蒸発器の大きさを大きくしたとしても、除湿能力を更に高めることができない。しかも、従来の蒸発器と凝結器は、共用で同一の風道の技術を共用しており、システム自体の放熱風量は、蒸発器が最大の水分除湿を発揮するための風量によって制限されてしまう。
【考案の概要】
【考案が解決しようとする課題】
【０００４】
本考案は、独立した風道設計により、蒸発器及び第二入気通路に進入する空気の風量を小さくするとともに風速を遅くし、それにより、空気水分を最高の効率で結露させ、同時に、放熱器に進入させる風量と風速を増やすことで放熱効果を増し、更に優れた除湿効果を達成する除湿装置の独立風道構造を提供することを目的とする。
【０００５】
また、本考案は、冷熱交換器、蒸発器の第一、第二入気通路と、放熱器の第三入気通路を隔てることで、放熱器から生じる熱源が排気口から直接排出されず、排気口から排出される気流温度が室内温度と近くなるため、涼しくて爽やかで環境への影響が少ない除湿装置の独立風道構造を提供することを目的とする。
【課題を解決するための手段】
【０００６】
上述の目的を達成するために、本考案による除湿装置の独立風道構造は、少なくとも一つの入気口を備える。前記入気口は、第一及び第二及び第三入気通路を備え、各入気通路は、それぞれ独立して設けられ、第二入気通路には蒸発器が設けられ、蒸発器の一側には、第二入気通路及び第一入気通路に相互に連通する冷熱交換器が設けられ、第三入気通路の通路には放熱器が設けられ、放熱器と冷熱交換器の間にはファンセットが設けられ、ファンセットの一側には少なくとも一つの排気口が設けられる。以上の構造により、高湿度空気が第二入気通路に進入すると蒸発器によって一部の水分が凝結して元々の空気の温度が下がり、さらに、冷熱交換器外側及びファンセット一側に進入する。また、もう一方の高湿度空気が第一入気通路に進入し、冷熱交換器内側を通過すると、冷熱交換器の外側は第二入気通路の低温風であるため、冷熱交換器外側の隔絶された内外風路の材料の温度が下がり、それにより、内側の第一入気通路の高湿度空気を凝結できる露点温度に達して、第一入気通路の湿った空気が冷熱交換器内側壁に凝結し、その後に排気口から排出される。
【考案の効果】
【０００７】
ファンセットにより放熱器の側の風量比重を蒸発器の側より大きくさせることができ、それによりさらに優れた除湿及び放熱効果を達成することができ、しかも、排気口から排出される気流温度が室内温度に近く、環境に対する影響も少なくなる。
【図面の簡単な説明】
【０００８】
【図１】本考案による好ましい実施例１の平面図である。
【図２】本考案による好ましい実施例１の除湿作動図である。
【図３】本考案による好ましい実施例の二個の入気口を示した図である。
【図４】本考案による好ましい実施例２の平面図である。
【図５】本考案による好ましい実施例２の除湿作動図である。
【考案を実施するための形態】
【０００９】
（実施例１）
図１と図２を参照する。図１と図２は、本考案による好ましい実施例１の平面図及び除湿作動図である。図から分かるように、本考案は、少なくとも一つの入気口１と、蒸発器２と、冷熱交換器３と、水収集部材４と、圧縮装置５と、放熱器６と、ファンセット７と、少なくとも一つの排気口８と、節流弁とからなる。
【００１０】
入気口１には濾過ネットが設けられるとともに、第一入気通路１１が設けられる。前記第一入気通路１１の一側には、第二入気通路１２が設けられる。前記第一入気通路１１の他側には、第三入気通路１３が設けられる。蒸発器２は、前記第二入気通路１２に設けられる。冷熱交換器３は、前記蒸発器２の一側に設けられるとともに、前記第一入気通路１１及び前記第二入気通路１２と相互に連通する。冷熱交換器３は、前記第一入気通路１１と連通する内側面３１と、前記第二入気通路１２と連通する外側面３２とを有する。水収集部材４は、蒸発器２及び冷熱交換器３の底部箇所に設けられる。圧縮装置５は、水収集部材４の一側に設けられる。放熱器６は、前記第三入気通路１３に設けられる。ファンセット７は、前記放熱器６の一側に設けられる。ファンセット７の一側は、前記第一入気通路１１及び前記第二入気通路１２に相互に連通するとともに、その他側は前記第三入気通路１３に相互に連通する。排気口８は、前記ファンセット７の一側に設けられる。前記放熱器６及び前記節流弁及び前記蒸発器２及び前記圧縮装置５は、相互に連通して冷却循環システムを形成し、除湿装置の冷熱ループを実現する。
【００１１】
以上の構造により、除湿機能を使用すると、環境の高湿度の空気９が入気口１から進入し、さらに第一入気通路１１及び第二入気通路１２及び第三入気通路１３内にそれぞれ流入する。この時、環境の高湿度の空気９は、第二入気通路１２に進入し蒸発器２を通った後に凝結して一部が水分になり、元々の空気９の温度が下がる。この後、下がった空気９が再び冷熱交換器３の外側面３２に進入し、外側壁に沿ってファンセット７まで進む。蒸発器２が凝結した水分を第一除湿水分と定義する。
【００１２】
次に、第一入気通路１１に進入した環境の高湿度の空気９について解説を行う。環境の高湿度の空気９は、第一入気通路１１を通って冷熱交換器３の内側面３１に進入するが、この時、上述の技術により、冷熱交換器３の外側面３２は第二入気通路１２の低温風であるため、第一入気通路１１から進入した空気９が冷熱交換器３の外側面３２を通過した時、冷熱交換器３の内側面は凝結して高湿度空気９の露点温度に達し、それにより、第一入気通路１１の湿った空気９が冷熱交換器３の内側面３１壁に凝結され、凝結された水分が第二除湿の水分来源となり、最後に、ファンセット７から排気口８、そして除湿装置外と吐き出され、第一除湿水分及び第二除湿水分は水収集部材４に滴り落ちる。
【００１３】
言い換えると、放熱器６と蒸発器２の入気経路を分け、ファンセット７を通じて放熱器６側の風量比重を蒸発器２側の風量より増加させることで、さらにすぐれた放熱効果を達成することができる。
【００１４】
更に言うと、最も優れた除湿量を達成させる場合、蒸発器２を通過する風の量が多くなり、また風速が速すぎてしまい、それにより風と蒸発器２の接触時間が短すぎて、水分を蒸発器２に効果的に凝結できない。反対に、放熱器６の放熱効果を高めるためには、さらに多い風量が必要であるため、同一の風道を共同で使用すると、最高の除湿量を得るために自身の風量を制限してしまい、放熱器６は十分な風量放熱を得られない。本考案は、上述の構造を通して極めて優れた除湿と放熱効果を達成している。
【００１５】
図３を参照する。図３は、本考案による好ましい実施例の二個の入気口を示した図である。図から分かるように、入気口が二個の時（以後、第一入気口１ａ及び第三入気口１ｃと呼ぶ）、第一入気口１ａは蒸発器２ａの一側に位置するとともに、前記第一入気通路１１ａ及び前記第二入気通路１２ａに連通し、もう一つの第三入気口１ｃは、放熱器６ａの一側に位置するとともに、前記第三入気通路１３ａと連通する。このことから分かるように、第一入気通路１１ａ及び第二入気通路１２ａは、第一入気口１ａ共用し、第三入気通路１３ａは、もう一つの第三入気口１ｃを独立で使用する。さらに入気方向を説明する。第一入気口１ａから進入した風は、第一入気通路１１ａを経由し、上から下へと冷熱交換器３ａ内側を通過し、さらに、ファンセット７ａへと流れる。もう一方の空気の流れる経路は、同一の第一入気口１ａから進入し、第二入気通路１２ａを通じて、蒸発器２ａ、冷熱交換器３ａの外側壁及びファンセット７ａを順番に通過する。このように、両側の入気技術を利用し、ファンセット７ａを併せることで、同一のファンセット７ａで、第一入気通路１１ａ及び第二入気通路１２ａと第三入気通路１３ａが異なる風量と風速を得ることができる。また、前記第一入気通路１１ａの出口箇所は斜断面１１１ａを形成する。
【００１６】
（実施例２）
図４と図５を同時に参照する。図４と図５は、本考案による好ましい実施例２の平面図と除湿作動図である。図から分かるように、本考案の実施例２は、第一入気口１ａと、第二入気口１ｂと、第三入気口１ｃと、蒸発器２ｂと、冷熱交換器３ｂと、放熱器６ｂと、水収集部材４ｂと、圧縮装置５ｂと、ファンセット７ｂと、少なくとも一つの排気口８ｂと、節流弁とからなる。第一入気口１ａは第一入気通路１１ｂを有し、前記第一入気通路１１ｂの出口箇所は斜断面１１１ｂを形成する。第二入気口１ｂは、前記第一入気通路１１ｂ一側に設けられた第一入気通路１２ｂを有する。第三入気口１ｃは、前記第一入気通路１１ｂ他側に設けられた第三入気通路１３ｂを有する。蒸発器２ｂは、前記第二入気通路１２ｂに設けられる。冷熱交換器３ｂは、前記蒸発器２ｂ一側に設けられるとともに、前記第一入気通路１１ｂ及び前記第二入気通路１２ｂに相互に連通する。冷熱交換器３ｂは、前記第一入気通路１１ｂに相互に連通する内側面３１ｂと、前記第二入気通路１２ｂに相互に連通する外側面３２ｂとを有する。放熱器６ｂは、前記第三入気通路１３ｂに設けられる。水収集部材４ｂは、蒸発器２ｂ及び冷熱交換器３ｂ底部箇所に設けられ、圧縮装置５ｂは、水収集部材４ｂ一側に設けられる。ファンセット７ｂは前記冷熱交換器３ｂ及び前記放熱器６ｂの間に設けられる。ファンセット７ｂは、その一側は前記第一入気通路１１ｂと前記第二入気通路１２ｂに相互に連通し、その他側は前記第三入気通路１３ｂに相互に連通する。排気口８ｂは、前記ファンセット７ｂ一側に設けられる。前記節流弁及び前記放熱器６ｂ及び前記節流弁及び前記蒸発器２ｂ及び前記圧縮装置５ｂは相互に連通し、冷却循環システムを形成する。
【００１７】
その内、前記第一入気口１ａ、或は、前記第二入気口１ｂ、或は、前記第三入気口１ｃ箇所には、濾過ネットが設けられる。濾過ネットを通過し濾過することで、空気中の埃やその他の微細な顆粒が蒸発器２ｂ及び冷熱交換器３ｂ及び放熱器６ｂ内部に入ることを防ぎ、蒸発器２ｂ及び冷熱交換器３ｂ及び放熱器６ｂ内部を埃などがないきれいな状態に保ち、熱交換をスムーズに行うことができる。
【００１８】
また、本実施例が上述の実施例と主に異なる点は、上述実施例の入気口が単一だったのに対し、本実施例の入気口は、それぞれ独立して第一入気口１ａ及び第二入気口１ｂ及び第三入気口１ｃを形成し、且つ第二入気口１ｂは前記蒸発器２ｂ一側に位置し、前記第一入気口１ａは、前記蒸発器２ｂ一側或は前記放熱器６ｂ一側に位置し、もう一つの前記第三入気口１ｃは前記放熱器６ｂ一側に位置することである。単一の入気口であれ複数の入気口であれ、第一入気通路１１ｂ及び第二入気通路１２ｂ及び第三入気通路１３ｂはいずれも独立して設置され、そのもともとの作動に影響をあたえない。本実施例の作動方式は上述の通りであり、空気９ｂの経路も上述した内容と同じであり、入気の位置だけが異なるため、ここでは説明を省略する。
【００１９】
全ての図を参照する。本考案を使用すると、従来の技術と比較して以下の利点が存在する。環境の空気９の湿度が高い時、その露点の温度が相対的に高くなり、空気９が蒸発器２を通過すると蒸発器２によってその熱量が吸収され温度が下がり、蒸発器２によって除湿された後の空気９の温度が、環境空気９の露点温度に達する。また、この低温の温度を再利用して環境空気９に二度目の除湿を行うことで、更に優れた除湿量を達成することができる。以上により、本考案の除湿装置は、高湿度の環境下でも除湿量を高め、より高い除湿効果を達成することができる。
【００２０】
また、放熱器６から生じる熱エネルギーは、直接、排気口８から大量に放出させるわけではないため、室内環境の温度に直接且つ即座には影響を及ぼさない。
【符号の説明】
【００２１】
１    入気口
１ａ  第一入気口
１ｂ  第二入気口
１ｃ  第三入気口
１１、１１ａ、１１ｂ  第一入気通路
１１１ａ、１１１ｂ    斜断面
１２、１２ａ、１２ｂ  第二入気通路
１３、１３ａ、１３ｂ  第三入気通路
２、２ａ、２ｂ  蒸発器
３、３ａ、３ｂ  冷熱交換器
３１、３１ｂ  内側面
３２、３２ｂ  外側面
４、４ｂ  水収集部材
５、５ｂ  圧縮装置
６、６ａ、６ｂ  放熱器
７、７ａ、７ｂ  ファンセット
８、８ｂ  排気口
９、９ｂ  空気
【図１】
0003209152.tif 000003
【図２】
0003209152.tif 000004
【図３】
0003209152.tif 000005
【図４】
0003209152.tif 000006
【図５】
0003209152.tif 000007
【手続補正書】
【提出日】平成28年12月12日(2016.12.12)
【手続補正１】
【補正対象書類名】実用新案登録請求の範囲
【補正対象項目名】請求項１４
【補正方法】変更
【補正の内容】
【請求項１４】
前記除湿装置の独立風道構造は節流弁を有し、前記放熱器及び前記節流弁及び前記蒸発器及び前記圧縮装置は相互に連通して冷却循環システムを形成することを特徴とする、請求項１２に記載の除湿装置の独立風道構造。